(57)【要約】【課題】部外者のビル内への侵入を制限すると共に、ビル入居者の入居階以外の階への侵入を制限するエレベータ制御システムを提供する。【解決手段】エレベータ制御システム１０は、ユーザの識別情報を記憶する携帯端末装置１１から、識別情報を読み取る情報読取り装置と、情報読取り装置が読み取った識別情報を受信して、ユーザの識別情報と乗降階とを対応付けて記憶する記憶装置を参照し、ユーザの乗降階を指定する情報を含むエレベータ利用許可情報を生成するエレベータ利用許可情報生成部と、エレベータ利用許可情報に基づいて、エレベータ１２の停止階を制限するエレベータ制御装置１３とを備える。【選択図】図１
2007261763.tif 000002
【特許請求の範囲】
【請求項１】
ユーザの識別情報を記憶する記憶媒体から、前記識別情報を読み取る情報読取り装置と、
前記情報読取り装置が読み取った識別情報を受信して、ユーザの識別情報と乗降階とを対応付けて記憶する記憶装置を参照し、ユーザの乗降階を指定する情報を含むエレベータ利用許可情報を生成するエレベータ利用許可情報生成部と、
前記エレベータ利用許可情報に基づいて、エレベータの停止階を制限するエレベータ制御装置とを備えることを特徴とするエレベータ制御システム。
【請求項２】
前記エレベータ制御装置は、前記エレベータ利用許可情報に基づいて、前記指定された乗降階以外の行先階の押しボタンからの入力を停止する、請求項１に記載のエレベータ制御システム。
【請求項３】
前記記憶媒体が、携帯端末装置に収容される記憶媒体を含み、非接触で前記情報読取り装置に識別情報を送信する、請求項１又は２に記載のエレベータ制御システム。
【請求項４】
前記記憶媒体が、カード型情報記憶媒体を含み、非接触で前記情報読取り装置に識別情報を送信する、請求項１又は２に記載のエレベータ制御システム。
【請求項５】
前記情報読取り装置は、ユーザの暗証番号の入力を受け付ける入力手段を有し、前記記憶装置は、更にユーザの暗証番号と乗降階とを対応付けて記憶する、請求項１又は２に記載のエレベータ制御システム。
【発明の詳細な説明】
【技術分野】
【０００１】
本発明は、エレベータ制御システムに関し、更に詳しくは、エレベータを利用したビルのセキュリティ技術に関する。
【背景技術】
【０００２】
不審者による住居内への侵入事件の増加と共に、住居のセキュリティに対する要望が強まっている。特に近年では、住居内への侵入は様々な手法を駆使してなされており、住居のドアの施錠だけではセキュリティは充分とはいえない。従って、マンションなどの集合住宅では、集合住宅の入り口で集合住宅内への不審者の侵入を制限することが望ましい。
【０００３】
上記に対して、特許文献１は、利用許可を得ていない部外者のエレベータ利用を制限するエレベータ制御システムを記載している。同文献によれば、エレベータの駆動を制御するエレベータ制御装置が、エレベータ利用者の携帯端末装置と通信可能に構成されており、携帯端末装置からのエレベータ利用許可情報の受信を条件として、エレベータを駆動させるものとしている。
【特許文献１】特開平７−３２１９３６号公報
【発明の開示】
【発明が解決しようとする課題】
【０００４】
特許文献１のエレベータ制御システムによれば、エレベータの利用許可を有しない部外者のエレベータの利用を制限できるので、部外者のビル内への立入りを制限できるとしている。しかし、ビルの入居者が入居階以外の階で乗降することによって、他の階の住居内へ侵入することも考えられる。従って、ビル内のセキュリティを充分に高めるためには、ビルの入居者の入居階以外の階への侵入を制限することも重要になる。
【０００５】
本発明は、上記に鑑み、部外者のビル内への侵入を制限すると共に、ビル入居者の入居階以外の階への侵入を制限するエレベータ制御システムを提供することを目的とする。
【課題を解決するための手段】
【０００６】
上記目的を達成するために、本発明のエレベータ制御システムは、ユーザの識別情報を記憶する記憶媒体から、前記識別情報を読み取る情報読取り装置と、
前記情報読取り装置が読み取った識別情報を受信して、ユーザの識別情報と乗降階とを対応付けて記憶する記憶装置を参照し、ユーザの乗降階を指定する情報を含むエレベータ利用許可情報を生成するエレベータ利用許可情報生成部と、
前記エレベータ利用許可情報に基づいて、エレベータの停止階を制限するエレベータ制御装置とを備えることを特徴とする。
【発明の効果】
【０００７】
本発明によれば、エレベータ制御装置が、ユーザの乗降階を指定する情報を含むエレベータ利用許可情報に基づいてエレベータの停止階を制限することによって、部外者のビル内への侵入を制限すると共に、ビル入居者の入居階以外の階への侵入を制限できる。
【０００８】
本発明では、前記エレベータ制御装置は、前記エレベータ利用許可情報に基づいて、前記指定された乗降階以外の行先階の押しボタンからの入力を停止してもよい。
【０００９】
本発明の好適な態様では、前記記憶媒体が、携帯端末装置に収容される記憶媒体を含み、非接触で前記情報読取り装置に識別情報を送信する。或いは、前記記憶媒体が、カード型情報記憶媒体を含み、非接触で前記情報読取り装置に識別情報を送信する。ユーザは識別情報の送信に際して携帯端末装置等を操作する必要がなく、エレベータ利用に際する手間を少なく出来る。
【００１０】
本発明の好適な態様では、前記情報読取り装置は、ユーザの暗証番号の入力を受け付ける入力手段を有し、前記記憶装置は、更にユーザの暗証番号と乗降階とを対応付けて記憶する。携帯端末装置やカード型情報記憶媒体を用いる必要がないので、エレベータ制御システムを利用し易くできる。
【発明を実施するための最良の形態】
【００１１】
以下に、図面を参照し、本発明の実施形態を詳細に説明する。図１は、本発明の一実施形態に係るエレベータ制御システムの構成を示すブロック図である。エレベータ制御システム１０は、マンションに居住し、エレベータ１２を利用するユーザが所持する携帯端末装置１１、エレベータ１２の駆動を制御するエレベータ制御装置１３、及び、システム管理者によって管理されるサーバ１４を含む。サーバ１４とエレベータ制御装置１３との間はインターネット１５により接続されている。携帯端末装置１１は本実施形態では携帯電話として構成され、携帯電話の事業者が運営する無線基地局１６を介してインターネット１５に接続されている。
【００１２】
図２は、携帯端末装置１１の各種機能を示すブロック図である。携帯端末装置１１は、所定のプログラムに従って駆動する情報端末装置であって、通信装置２１、近距離通信装置２２、及び、記憶装置２３を備える。通信装置２１は、無線基地局１６を介して、サーバ１４との間で情報の送受信を行うことが出来る。近距離通信装置２２は、エレベータ１２の入り口に設置された情報読取り装置との間で情報の送受信を行うことが出来る。記憶装置２３には、携帯端末装置１１の電話番号など、個々のユーザを識別可能な情報（識別情報）が記憶されている。
【００１３】
図３は、エレベータ制御装置１３の各種機能を示すブロック図である。エレベータ制御装置１３は、主制御装置３１、エレベータ駆動装置３２、行き先階ボタン表示装置３３、情報読取り装置３４、及び、外部通信装置３５を備える。主制御装置３１は、プログラムに従って動作し、他の装置３２〜３５の駆動を制御するコンピュータシステムである。エレベータ駆動装置３２は、エレベータ１２の扉の開閉、及び、各階への移動を制御する。
【００１４】
行き先階ボタン表示装置３３は、エレベータ１２内の行き先階ボタン表示部（図示なし）に、利用者が乗降を許可された行き先階ボタンを点滅表示させると共に、点滅表示させた行き先階ボタンへの利用者の入力を受け付ける。また、入力された行き先階ボタンを点灯表示させる。情報読取り装置３４は、エレベータ１２の入り口に設置され、携帯端末装置１１との間で近距離通信を行うことによって、携帯端末装置１１から識別情報を読み取ることが出来る。外部通信装置３５は、インターネット１５を介して、サーバ１４との間で情報の送受信を行うことが出来る。情報読取り装置３４と携帯端末装置１１との間の通信形態に限定はないが、例えばＲＦＩＤに用いられる電波や赤外線などを用いて通信できる。
【００１５】
図４は、サーバ１４の各種機能を示すブロック図である。サーバ１４は、プログラムに従って動作する演算制御部４１、通信装置４２、及び、データベース４３を備える。通信装置４２は、インターネット１５を介して、携帯端末装置１１又はエレベータ制御装置１３との間で情報の送受信を行うことが出来る。データベース４３には、ユーザの識別情報と、携帯端末装置１１を所有するユーザが乗降を許可されているエレベータ１２の階の情報（乗降許可階情報）とが対応付けて記憶されている。演算制御部４１は、ユーザの識別情報に基づいて、データベース４３から対応する乗降許可階情報を抽出し、これをエレベータ利用許可情報として生成する。
【００１６】
図５は、図１のエレベータ制御システム１０の動作手順を順次に示すフローチャートである。新規のユーザのマンション入居に先立って、システム管理者は、ユーザの識別情報と乗降許可階情報とを対応付けて、サーバのデータベース４３に格納する（ステップＳ１０）。乗降許可階情報は、例えばユーザの居住階及びマンションへの出入階の情報からなる。
【００１７】
マンション内に立ち入る利用者は、エレベータ１２の利用に際して、所持する携帯端末装置１１をエレベータ１２の入り口に設置されている情報読取り装置３４に近づけるよう例えば音声によって要請される。携帯端末装置１１は、情報読取り装置３４に近づけられると、情報読取り装置３４との間で近距離通信を行い、記憶装置２３に格納されている識別情報を情報読取り装置３４に送信する（ステップＳ１１）。エレベータ制御装置１３は、情報読取り装置３４を介して、携帯端末装置１１から識別情報を受信した後（ステップＳ１２）、受信した識別情報をインターネット１５を介してサーバ１４に送信する（ステップＳ１３）。
【００１８】
サーバ１４は、エレベータ制御装置１３からインターネット１５を介して識別情報を受信する（ステップＳ１４）。引き続き、受信した識別情報に基づいて、データベース４３から対応する乗降許可階情報を抽出し、抽出した乗降許可階情報をエレベータ利用許可情報として生成する（ステップＳ１５）。更に、生成したエレベータ利用許可情報をインターネット１５を介してエレベータ制御装置１３に送信する（ステップＳ１６）。
【００１９】
エレベータ制御装置１３は、サーバ１４からインターネット１５を介してエレベータ利用許可情報を受信し（ステップＳ１７）、携帯端末装置１１の所有者に乗降が許可された階を判定する（ステップＳ１８）。ステップＳ１８で、乗降許可階が存在する場合には、エレベータ１２をユーザが待機している階へ移動させた後（ステップＳ１９）、ユーザをエレベータ１２に乗せるために、扉を開閉させる（ステップＳ２０）。
【００２０】
ステップＳ１８で、携帯端末装置１１の所有者がリストに存在しない場合には、処理を終了する。これによって、部外者のエレベータ１２を利用したマンション内への侵入を制限できる。なお、ステップＳ１１〜Ｓ１４に代えて、携帯端末装置１１は、識別情報を無線基地局１６及びインターネット１５を介してサーバ１４に直接に送信しても構わない。この場合、識別情報の送信は、ユーザの入力によって、或いは、携帯端末装置１１がエレベータ１２への接近を判断することによって自動的に行うことが出来る。
【００２１】
図６は、図５に後続する動作手順を順次に示すフローチャートである。ステップＳ２０に後続し、エレベータ制御装置１３は、エレベータ１２内に設置された行き先階ボタン表示部で、乗降が許可された階を点滅表示させ（ステップＳ２１）、ユーザによる行き先階の入力を受け付ける（ステップＳ２２）。ステップＳ２１の点滅表示に際しては、ユーザが待機している階は点滅させないように設定することも出来る。
【００２２】
ユーザによる入力があったら、入力された行き先階が乗降許可階であるか否かを判別する（ステップＳ２３）。ステップＳ２３で、乗降許可階である場合には、行き先階ボタン表示部で行き先階のボタンを点灯表示させた後（ステップＳ２４）、エレベータ１２を移動させる（ステップＳ２５）。更に、行き先階でユーザを降ろすためにエレベータ１２の扉を開閉させ（ステップＳ２６）、一連の処理を終了する。
【００２３】
ステップＳ２３で、乗降許可階でない場合には、受付けを拒否し、ステップＳ２２に戻る。これによって、マンションの入居者であるユーザの乗降許可階以外の階への侵入を制限できる。ユーザがマンションを退去した際には、システム管理者は、ユーザの識別情報をデータベース４３から削除する（ステップＳ１０）。
【００２４】
本実施形態によれば、ステップＳ１８で、エレベータ制御装置１３が、携帯端末装置１１の所有者がリストに存在しない場合には処理を終了するため、部外者のエレベータ１２を利用したマンション内への侵入を制限できる。また、ステップＳ２３で、エレベータ制御装置１３が、乗降許可階でない行き先階への入力があった場合には、受付けを拒否することによって、マンションの入居者による入居階以外の階への侵入を制限できる。
【００２５】
エレベータ１２の入り口に携帯端末装置１１との間で情報の送受信が可能な情報読取り装置３４が設置されることによって、ユーザは識別情報の送信に際して携帯端末装置１１を操作する必要がなく、エレベータ１２利用に際する手間を少なく出来る。
【００２６】
なお、情報読取り装置３４は、エレベータ１２の入り口だけでなく、エレベータ１２内に設置してもよい。この場合、エレベータ１２の移動中に行き先階を変更することが可能である。エレベータ１２の移動中に行き先階を変更する際には、携帯端末装置１１をエレベータ内の情報読取り装置に近づけることによって、識別情報を再度送信する。また、ユーザが識別情報を記憶可能な携帯端末装置１１を所持していない場合は、システム管理者が携帯端末装置１１の貸し出しを行うことによって、上記実施形態のエレベータ制御システム１０を利用できる。
【００２７】
識別情報の読取りに際しては、携帯端末装置１１に代えて、ＲＦＩＤカードなどの非接触式ＩＣカードから読み取ってもよい。この場合、情報読取り装置３４を、非接触式ＩＣカードとの間で情報の送受信可能に構成する。また、システム管理者は、非接触式ＩＣカードの貸与又は貸出に先立って、非接触式ＩＣカードにユーザの識別情報を格納する。
【００２８】
更に、ユーザの識別に際して、識別情報に代えて又はこれに加えて暗証番号を用いてもよい。この場合、情報読取り装置３４は、エレベータ利用者による暗証番号の入力を受け付ける入力部を備え、サーバのデータベース４３は、ユーザの暗証番号とユーザの乗降許可階情報とを対応付けて記憶する。
【００２９】
以上、本発明をその好適な実施形態に基づいて説明したが、本発明のエレベータ制御システムは、上記実施形態の構成にのみ限定されるものではなく、上記実施形態の構成から種々の修正及び変更を施したエレベータ制御システムも、本発明の範囲に含まれる。例えば、上記実施形態ではマンションについて説明したが、オフィスビルやホテル等のエレベータにおいても同様に適用できる。
【図面の簡単な説明】
【００３０】
【図１】本発明の一実施形態に係るエレベータ制御システムの構成を示すブロック図である。
【図２】図１の携帯端末装置の各種機能を示すブロック図である。
【図３】図１のエレベータ制御装置の各種機能を示すブロック図である。
【図４】図１のサーバの各種機能を示すブロック図である。
【図５】図１のエレベータ制御システムの動作手順を順次に示すフローチャートである。
【図６】図５に後続する手順を順次に示すフローチャートである。
【符号の説明】
【００３１】
１０：エレベータ制御システム
１１：携帯端末装置
１２：エレベータ
１３：エレベータ制御装置
１４：サーバ
１５：インターネット
１６：無線基地局
２１：通信装置
２２：近距離通信装置
２３：記憶装置
３１：主制御装置
３２：エレベータ駆動装置
３３：行き先階ボタン表示装置
３４：情報読取り装置
３５：外部通信装置
４１：演算制御部
４２：通信装置
４３：データベース
【図１】
2007261763.tif 000003
【図２】
2007261763.tif 000004
【図３】
2007261763.tif 000005
【図４】
2007261763.tif 000006
【図５】
2007261763.tif 000007
【図６】
2007261763.tif 000008